(57)【特許請求の範囲】
【請求項１】
ロックアームと、機本体に固定して前記ロックアームを保持するアームホルダとを備え、前記ロックアームを用いて前記機本体に対する扉の開閉をロックするロック装置であって、前記アームホルダに、施錠手段と、該施錠手段の施解錠動作と連動して前記ロックアームを着脱自在に保持する保持手段を含む機構部品を内蔵した防犯用ロック装置において、
前記アームホルダのホルダ本体を、外装ケースと、外装ケース内に嵌め込む組付用ブロックとに分割構成し、そのうちの外装ケースを剛性の高い金属材料を用いて一側に開口をあけた箱形状に成形する一方、前記組付用ブロックは、低融点材料を用いて一体成形し、これら外装ケースおよび組付用ブロックに、それらを凹凸の嵌め合いで連結する掛止部を設けると共に、
前記機構部品のうち前記組付用ブロックに対し最後に組み付ける機構部品に、凹凸の嵌め合いで前記組付用ブロックと係合する係合部を設け、その係合部を前記組付用ブロックに係合させたとき、その他の機構部品が組付け状態の組付用ブロックと前記外装ケースとを固定状態に連結してなる、防犯用ロック装置。
【発明の詳細な説明】
【０００１】
【発明の属する技術分野】
本発明は、自動販売機などの防犯用に使用されるもので、扉の主たる施錠装置とは別に、ロックアームを用いて扉の開閉をロックする防犯用ロック装置に関する。
【０００２】
【従来の技術】
一般に、自動販売機などでは、図１０（Ａ）に示すように、販売機本体１の扉２に施錠装置２ａが組み込まれているが、バール等の適宜工具を使って不正に解錠されたり、破壊されたりして盗難に会うことがあるため、主たる施錠装置２ａとは別に防犯用ロック装置３を備え、この防犯用ロック装置３と施錠装置２ａとで扉２の開閉を二重にロックしている。
【０００３】
従来の防犯用ロック装置３には、たとえば図１０（Ｂ）でも示すように、Ｌ字状に折り曲げたロックアーム４と、ロックアーム４の基端部４ａ側を回動自在に保持するアームホルダ５を備えている。アームホルダ５は、シリンダ錠５ａと、シリンダ錠５ａの施解錠動作と連動してロックアーム４を係脱自在に保持するアーム保持機構（図示省略）を内蔵し、販売機本体１の側面に固定する構造になっている。そして、扉２の開閉をロックするときは、鍵でシリンダ錠５ａを解錠してロックアーム４の回動規制を解除してから、ロックアーム４を回動し、その先端部４ｂ側のアーム部を正面側に配して扉２の開閉を規制している。
【０００４】
従来、そのような防犯用ロック装置３において、アームホルダ５は、簡単に破壊されないように、特に材質を、金属の中でも硬質で剛性の高い、例えばステンレス鋼とし、ロストワックス法（ろう型法）により一体成形している。そして、アームホルダ５に、ロックアーム４を挿通させる貫通穴や、シリンダ錠５ａを組み込むための組付穴や、上記アーム保持機構の構成部品を組み込むための多様な組付凹部などを形成している。
【０００５】
【発明が解決しようとする課題】
ところが、上述のような従来の防犯用ロック装置では、アームホルダ５を、硬質な無垢のステンレス鋼など、極めて頑丈な金属で一体成形するため、どうしても外表面が粗く仕上がり、貫通穴や組付穴や組付凹部等の形状寸法の精度が悪く、その結果、成形後に、改めて綿密に後加工を施す必要がある。しかも、固定用ねじの雌ねじ穴などの細密な部位は、やはり成形後、別途に精密な機械加工により仕上げる必要がある。さらに、内部構造が複雑であれば、それだけ成型用の金型費も高くなる。このように従来の防犯用ロック装置では、アームホルダ５を硬質な剛性の高い無垢の金属で成形すると、一方で、成形後に、各種の後加工が必要であるため、それだけ加工作業に手間と時間を要し、また後加工が必要な分だけコストアップを招くという課題があった。
【０００６】
そこで、本発明の目的は、ロックアームを用いる防犯用ロック装置において、ロックアームのアームホルダを、後加工の必要性をなくして容易且つ迅速に組み立て、飛躍的なコストダウンを実現することにある。
【０００７】
【課題を解決するための手段】
したがって、請求項１に記載の発明は、上記目的を達成すべく、たとえば以下に示す図示実施の形態のとおり、ロックアーム１０と、機本体Ａに固定して前記ロックアーム１０を保持するアームホルダ１１とを備え、前記ロックアーム１０を用いて前記機本体Ａに対する扉Ｂの開閉をロックするロック装置であって、前記アームホルダ１１に、シリンダ錠１５のような施錠手段と、該施錠手段の施解錠動作と連動して前記ロックアーム１０を着脱自在に保持する保持手段を含む機構部品Ｐを内蔵した防犯用ロック装置Ｒにおいて、前記アームホルダ１１のホルダ本体１３を、外装ケース１９と、外装ケース１９内に嵌め込む組付用ブロック２０とに分割構成し、そのうちの外装ケース１９を剛性の高い金属材料を用いて一側に開口２１をあけた箱形状に成形する一方、前記組付用ブロック２０は、低融点材料を用いて一体成形し、これら外装ケース１９および組付用ブロック２０に、それらを凹凸の嵌め合いで連結する掛止部１９ａ・１９ｂ、２０ａ・２０ｂを設けると共に、前記機構部品Ｐのうち前記組付用ブロック２０に対し最後に組み付けるシリンダストッパａのような機構部品Ｐに、凹凸の嵌め合いで前記組付用ブロック２０と係合する係合部３７を設け、その係合部３７を前記組付用ブロック２０に係合させたとき、その他の機構部品Ｐが組付け状態の組付用ブロック２０と前記外装ケース１９とを固定状態に連結してなることを特徴とする。
【０００８】
【発明の実施の形態】
以下、図面を参照しつつ、本発明の実施の形態について説明する。
【０００９】
図４は、本発明による防犯用ロック装置を、一例として自動販売機に取り付けた状態を示す斜視図である。図中符号Ａは、自動販売機の機本体、Ｂは、機本体Ａに開閉自在に取り付けた扉、Ｃは、従来と同様に扉Ｂの正面に組み込まれた施錠装置である。符号Ｒは、施錠装置Ｃと相俟って、以下に示す如く扉Ｂを二重にロックする本発明の防犯用ロック装置である。防犯用ロック装置Ｒは、ロックアーム１０と、ロックアーム１０を保持するアームホルダ１１とを備えた構成になっている。
【００１０】
ロックアーム１０は、図２および図３に示すように、金属製の丸棒をＬ字状に曲げ成形して基端部１０ａを若干細径に形成し、この基端部１０ａの片側に、後述するロックプレートｃの板厚に合わせた溝幅の切欠き溝１０ｂを設けている。同じ基端部１０ａの他側には、回転規制用のねじ１２のねじ穴１０ｃを径方向に螺設している。回転規制用ねじ１２には、捩じ込み用の断面六角穴を有する。
【００１１】
アームホルダ１１は、ホルダ本体１３と、ホルダ本体１３に内蔵するシリンダ錠（施錠手段）１５およびロックアーム１０の保持手段を構成する複数の機構部品Ｐを備える。機構部品Ｐとしては、シリンダストッパａと、カムｂと、ロックプレートｃと、付勢ばねｄを備える。
【００１２】
ホルダ本体１３は、外装ケース１９と、外装ケース１９内に嵌め込む組付用ブロック２０の２つに分割して構成してなる。外装ケース１９は、硬質で剛性の高い金属材料、例えばステンレス鋼を用い、固定側の背面側に矩形な開口２１をあけて板厚を肉厚にした直方形箱状に成形する。そして、底面に、シリンダ錠１５を挿通する円形なシリンダ挿通穴２２を設ける。一方、ロックアーム１０を嵌挿する側の一側面２３には、円形のアーム挿通穴２４を設けると共に、同じ一側面２３の内側には、アーム挿通穴２４の下側に、凸状の第１掛止部１９ａを設ける。さらに、矩形開口２１側と反対の正面１８にも、図１に示すように、内側に凸状の第２掛止部１９ｂを設ける。第２掛止部１９ｂは、突端部分を屈曲させて第１掛止部１９ａと同じ向きに突設している。
【００１３】
組付用ブロック２０は、低融点合金、例えばダイカスト用亜鉛合金を用いてダイカスト鋳造法により、図２および図３に示すように、外装ケース１９の中空部形状に合わせて全体を直方体状に成形する。低融点合金としては、ダイカスト用アルミニウム合金などを用いることもできる。
【００１４】
そして、組付用ブロック２０には、図中下部に、外装ケース１９のシリンダ挿通穴２２と対応する円形穴２５を、底面から図中上向きに設けて成形する。一方、上部には、アーム挿通穴２４と対応する位置で、横向きに貫通する筒穴２７を設ける。また、片側の側面２８には、外装ケース１９の凸状第１掛止部１９ａと対応する、凹状の第１掛止部２０ａを設ける。第１掛止部２０ａは、一側の側面２８に一段低い段部を設けて凹状に成形する。他側の側面２９と正面３０間の角部には、外装ケース１９の凸状第２掛止部１９ｂと対応する、凹状の第２掛止部２０ｂを設ける。第２掛止部２０ｂは、角部に矩形の連通穴をあけて凹状に形成している。
【００１５】
さらに、組付用ブロック２０の下部には、固定側の背面３１に、機構部品Ｐのシリンダストッパａを組み込むストッパ組付凹部２０ｃと、その上段にカムｂを組み込むカム組付凹部２０ｄを設ける。また、ストッパ組付凹部２０ｃの横には、シリンダストッパａと係合する凸状のストッパ係合部２０ｅを、縦向きに残して成形している。さらに、ストッパ係合部２０ｅの上方には、同じ背面３１において、筒穴２７と連通する直交方向に、回転規制用ねじ１２のねじ挿通穴３２を設ける。
【００１６】
加えて、組付用ブロック２０には、筒穴２７とねじ挿通穴３２とが直交する連通位置において（図５参照）、さらに図中上向きに開口する穴を穿設し、そこにロックアーム１０の回転角度を９０度の範囲に規制する回転規制凹部２０ｆを成形する。なお、図２および図３に示すように、同じ背面３１には、その角縁に２個所雌ねじを切って、固定ねじ用のねじ穴３３を成形している。
【００１７】
一方、上部には、その頂面３４に、機構部品Ｐの付勢ばねｄを配置する収納凹部２０ｇを設ける。収納凹部２０ｇは、付勢ばねｄの外形に合わせて浅い有底筒状に成形し、付勢ばねｄを載せて配置できるように形成している。さらに、同じ頂面３４には、収納凹部２０ｇから図中下向きにロックプレートｃを組み込む組付穴２０ｈを設ける。組付穴２０ｈは、ロックプレートｃの上下動を案内するために、その厚板な形状に合わせて縦長に穿設し、下方のカム組付凹部２０ｄと連通するように成形する。
【００１８】
この組付用ブロック２０に組み込む機構部品Ｐの中で、シリンダストッパａは、亜鉛ダイカスト製で、シリンダ錠１５の本体の外周形状に合わせて凹設したシリンダ保持凹部３５を有し、該シリンダ保持凹部３５の上段に、カムｂの外周形状に合わせて凹設したカム保持凹部３６を有する。加えて、これら凹部３５・３６の横に、組付用ブロック２０に有するストッパ係合部２０ｅに対応させて、図中高さ方向に溝状の係合部３７を設けている。
【００１９】
カムｂは、亜鉛ダイカスト製で、円板部３８の中心に、シリンダ錠１５の先端に有する作用突起１５ａの外形に合わせてあけた係合穴３８ａを有する。円板部３８の周縁には、凹部と凸部をそれぞれ対称な位置に設け、それら凹凸部の端面にカム曲線を形成している。そして、凹部と凸部の端面に、それぞれ一段高い第１カム面ｍと低い第２カム面ｎを形成してなる。
【００２０】
ロックプレートｃは、ステンレス鋼製で、アーム挿通穴３９をあけた略矩形状の厚肉な板材からなる。そして、アーム挿通穴３９の内周縁を、径方向外向きに一部を切り欠いて、その横にアーム係止板部３９ａを形成する。さらに、アーム係止板部３９ａと反対の図中下端に、カムｂのカム面ｍ・ｎと各々対応する一対の下向き凸部３９ｂを設けている。なお、図示例の付勢ばねｄは、圧縮コイルスプリングである。
【００２１】
アームホルダ１１は、上記した機構部品Ｐの他に、外装ケース１９の矩形開口２１に被せる樹脂製の蓋体４０、固定用ねじ４１、ばね座金４２、六角ナット４３を備える。固定用ねじ４１には、捩じ込み用の断面六角穴を有する。
【００２２】
さて、上述した構成部品を備える防犯用ロック装置Ｒを組み立てて、機本体Ａに取り付ける場合は、組付用ブロック２０に対し、背面３１側からカム組付凹部２０ｄにカムｂを組み込む。また、頂面３４側から、組付穴２０ｈにロックプレートｃを差し込み、一対の凸部３９ｂをカムｂ上に載せる。次いで、付勢ばねｄを組付凹部２０ｇに入れて、そこの受け段部に載置する。それから、付勢ばねｄを押えながら、組付用ブロック２０を、正面３０側を矩形開口２１に向けて、外装ケース１９内に嵌め入れる。しかる後、組付用ブロック２０を外装ケース１９内で図１中矢示するＸ方向にスライドし、凹状の第１掛止部２０ａは、外装ケース１９の凸状第１掛止部１９ａに嵌め合わせ、凹状の第２掛止部２０ｂは、外装ケース１９の凸状第２掛止部１９ｂに嵌め合わせて、組付用ブロック２０と外装ケース１９とを連結する。
【００２３】
次いで、ロックアーム１０は、基端部１０ａを、図２および図３に示す外装ケース１９のアーム挿入穴２４を通して組付用ブロック２０の筒穴２７に挿入する。そして、回転規制用ねじ１２を、ねじ挿通穴３２を通してロックアーム１０のねじ穴１０ｃに捩じ込み、ねじ頭部を、回転規制凹部２０ｆ内において基端部１０ａの外周から突出させる（図５参照）。
【００２４】
その後、シリンダ錠１５を、シリンダ挿通穴２２と円形穴２５を通して挿入し、シリンダストッパａのシリンダ保持凹部３５に嵌め込み、先端の作用突起１５ａをカムｂの中心係合穴３８ａに係合させて保持する。それから、シリンダストッパａをストッパ組付凹部２０ｃに組み込む。そして、シリンダ保持凹部３５をシリンダ錠１５の本体に、カム保持凹部３６をカムｂに、溝状の係合部３７を組付用ブロック２０のストッパ係合部２０ｅに、それぞれ嵌め付ける。こうして機構部品Ｐの中で最後にシリンダストッパａを組み込むと、その他の機構部品Ｐが組付状態の組付用ブロック２０と外装ケース１９とが固定状態になる。しかる後、外装ケース１９の矩形開口２１に蓋体４０を被せて弾性的に嵌め付けると、防犯用ロック装置Ｒが組み立てられる。
【００２５】
この防犯用ロック装置Ｒを取り付けるときは、図１および図４に示す機本体Ａの側面４９の施錠装置Ｃ寄りにおいて、施錠装置Ｃと対応する所定取付高さ位置に、アームホルダ１１の蓋体４０を当てがい、機本体Ａの内側から、固定用ねじ４１を組付用ブロック２０のねじ穴３３に捩じ込み、固定用ねじ４１にばね座金４２を介して六角ナット４３を螺合して締め付け、アームホルダ１１を機本体Ａに固定する。
【００２６】
さて、図示自動販売機において、扉Ｂを閉じてから、その扉Ｂをロックする場合は、始めに、鍵４５を操作して扉Ｂの施錠装置Ｃを施錠する。そのとき、防犯用ロック装置Ｒでは、施錠装置Ｃを施錠操作しやすいように、ロックアーム１０は、図６に示すように、先端部１０ｄ側のアーム部が直立状態にある退避姿勢とし、施錠装置Ｃから離しておく。
【００２７】
しかる後、防犯用ロック装置Ｒを作動させて扉Ｂを二重にロックする。その場合は、まずロックアーム１０を、先端部１０ｄ側のアーム部を持って、図５（Ａ）中矢示する方向に９０度回動する。なお、このとき、ロックアーム１０は、後述するロック解除操作を行うことにより、予め回動可能なロック解除状態にあるとする。こうして９０度回動させると、ロックアーム１０は、回転規制用ねじ１２が回転規制凹部２０ｆの水平な第１規制面５０に当たり、切欠き溝１０ｂが上向きのロック位置で止まる。すると、図７に示すように、先端部１０ｄ側のアーム部で施錠装置Ｃの鍵穴部位を覆った水平なロック姿勢になる。
【００２８】
次いで、シリンダ錠１５の鍵穴に、図８に示すように、鍵４５を差し込んで回し、図９（Ａ）に示すように、シリンダ錠１５の作用突起１５ａを、施錠角度位置へ９０度回動する。すると、カムｂは、一段低い第２カム面ｎ上にロックプレートｃの凸部３９ｂが乗るロック位置へ回転する。そのため、ロックプレートｃは、付勢ばねｄによりロック解除高さ位置からロック高さ位置へ一段押し下がり、アーム係止板部３９ａを切欠き溝１０ｂに係止してロックアーム１０の動きをロックする。これにより、ロックアーム１０で扉Ｂの開閉を規制するロック状態にする。即ち、防犯用ロック装置Ｒは、図８に示すように、ロックアーム１０が先端部１０ｄのアーム部で施錠装置Ｃの鍵穴部位を遮った状態にして扉Ｂの開閉をロックする。従って、図示自動販売機では、たとえ施錠装置Ｃを不正に解錠操作して扉Ｂを開けようとしても、その開放を阻止することができる。
【００２９】
一方、必要に応じて、扉Ｂのロックを解除するときは、シリンダ錠１５の鍵穴に鍵４５を差し込んで回し、図９（Ｂ）に示すように、シリンダ錠１５の作用突起１５ａを、反対の解錠角度位置へ９０度回動する。すると、カムｂが連動し、第１カム面ｍ上にロックプレートｃの凸部３９ｂが乗り上がるロック解除位置へ回転する。そして、第１カム面ｍでロックプレートｃを付勢ばねｄに抗して押し上げ、アーム係止板部３９ａがロックアーム１０の切欠き溝１０ｂと非係合状態になるロック解除位置へ退避させる。このようにロック解除状態にしてから、先端部１０ｄ側のアーム部を持ってロックアーム１０を、図５（Ｂ）中矢示する方向に９０度回動する。すると、ロックアーム１０は、回転規制用ねじ１２が回転規制凹部２０ｆの垂直な第２規制面５１に当たって止まり、図６に示すようにアーム先端部１０ｄが直立状態の退避姿勢に戻る。
【００３０】
そのようにロックアーム１０を退避姿勢とし、先端部１０ｄのアーム部を施錠装置Ｃから離してから、鍵４５を操作して扉Ｂの施錠装置Ｃを解錠し、扉Ｂの二重ロック状態を解く。
【００３１】
ところで、上述した図示実施の形態では、組付用ブロック２０を低融点合金を用いてダイカスト鋳造法により一体成形した例を示したが、本発明における組付用ブロック２０は、同じく低融点材料として、たとえば耐熱性を併有する高強度の樹脂材料を用いて一体成形することができる。或いは、金属粉を混入させた樹脂材料を用いて一体成形することもできる。
【００３２】
以上の図示実施の形態では、防犯用ロック装置Ｒを自動販売機に適用した例を示したが、本発明は、自動販売機に限らず、盗難防止のために、主たる錠装置とで開閉扉を二重にロックすることが必要な機器であれば、開閉扉付きの重要機器に広く適用することができる。
【００３３】
【発明の効果】
上述の如く構成した本発明によれば、次のような効果が得られる。
【００３４】
請求項１に記載の防犯用ロック装置によれば、アームホルダのホルダ本体を、外装ケースと、外装ケース内に嵌め込む組付用ブロックとに分割構成し、そのうちの外装ケースを剛性の高い金属材料を用いて成形する一方、組付用ブロックは、低融点材料を用いて一体成形し、これら外装ケースおよび組付用ブロックを凹凸の嵌め合いで連結する構成にするため、強靭な外装ケースにて破壊行為に対する剛性が担保される一方、組付用ブロックは、例えねじ穴等の細密な部位や、寸法合わせなど高度な加工精度が必要な精密な部位や、構造が複雑な部位を含む構造であっても、仕上げ加工などの後加工を全く要しない程度に精度よく一度に成形することができ、その結果、従来のように高価な成型用金型を必要とせず、また、各種の後加工を不要にする分だけコストを飛躍的に下げることができ、しかも、後加工の必要がないので、全体に加工作業の手間と時間を少なくし、それだけ容易に且つ迅速にアームホルダを作製することができる。
【００３５】
さらに、外装ケースと組付用ブロックと内部の機構部品を、凹凸の嵌め合いで相互に嵌め付けて連結し、最後に機構部品の１つを組付用ブロックと係合させるだけで、他の機構部品が組付け状態の組付用ブロックと外装ケースとを固定状態にしてアームホルダを組み立てる構成とし、これにより、別途に止めねじや接着剤や溶接などの固定手段を全く用いることなく、アームホルダを簡単に且つ迅速に組み立てることができる。
【図面の簡単な説明】
【図１】  本発明の一例である防犯用ロック装置を示す横断面図である。
【図２】  その防犯用ロック装置の分解組立斜視図である。
【図３】  図２と逆向きに示す防犯用ロック装置の分解組立斜視図である。
【図４】  この防犯用ロック装置を取り付けた自動販売機を示す斜視図である。
【図５】  防犯用ロック装置におけるロックアームの回動規制構造を示し、（Ａ）はロック時の回動規制状態を示し、（Ｂ）はロック解除時の回動規制状態を示す状態説明図である。
【図６】  扉に対しロックアームを退避させてロック解除状態にある防犯用ロック装置を示す正面図である。
【図７】  扉に対しロックアームがロック姿勢にある防犯用ロック装置を示す正面図である。
【図８】  扉ロック姿勢のロックアームを施錠してロック状態にある防犯用ロック装置を示す正面図である。
【図９】  防犯用ロック装置のロックアームに対するロック構造を、（Ａ）はアームロック状態において、（Ｂ）はその解除状態においてそれぞれ一部を断面にして示す状態説明図である。
【図１０】  従来の防犯用ロック装置を組み付けた自動販売機を示す斜視図である。
【符号の説明】
Ａ              機本体
Ｂ              扉
Ｃ              施錠装置
Ｐ              機構部品
Ｒ              防犯用ロック装置
ａ              シリンダストッパ
１０            ロックアーム
１１            アームホルダ
１３            ホルダ本体
１５            シリンダ錠（施錠手段）
１９            外装ケース
１９ａ・１９ｂ  外装ケース側の掛止部
２０            組付用ブロック
２０ａ・２０ｂ  組付用ブロック側の掛止部
３７            シリンダストッパの係合部
【図１】
0003722480.tif 000002
【図２】
0003722480.tif 000003
【図３】
0003722480.tif 000004
【図４】
0003722480.tif 000005
【図５】
0003722480.tif 000006
【図６】
0003722480.tif 000007
【図７】
0003722480.tif 000008
【図８】
0003722480.tif 000009
【図９】
0003722480.tif 000010
【図１０】
0003722480.tif 000011